(57)【要約】【課題】一旦塵取りに収容した塵ゴミが、再び塵取りから零れ落ちてしまう不具合を減少させる。【解決手段】本発明による塵取り１０は、底板１２、底板１２から立設する左右の側壁１４及び後側壁１６で囲まれる空隙、並びに塵ゴミ５０を掃き入れる受け口１７を有する塵溜め２０を備える。受け口１７の前縁には、箒５２等を用いて掃き集めた被清掃面５４上の塵ゴミ５０を掬い上げる掃き入れブレード部３０を備える。更に、被清掃面５４から掬い上げた塵ゴミ５０を塵溜め２０に案内すると共に、一旦塵溜め２０に収容した塵ゴミ５０の零れ落ちを防ぐ段差３４が後縁３３において形成される傾倒式案内部３２を備える。【選択図】図１
2015051043.tif 000002
【特許請求の範囲】
【請求項１】
底板、左右の側壁及び後側壁で囲まれる空隙と、塵ゴミを掃き入れる受け口とを有する塵溜めと、
前記受け口の前縁に配置され、箒等を用いて掃き集めた被清掃面上の塵ゴミを掬い上げる、掃き入れブレード部と、
前記被清掃面から掬い上げた塵ゴミを塵溜めに案内すると共に、一旦前記塵溜めに収容した塵ゴミの零れ落ちを防ぐ段差が後縁において形成される傾倒式案内部と、
を備え、
前記傾倒式案内部は、塵ゴミの掃き入れ動作に応じて後縁が下がることにより前記段差が減少して前記塵溜めに対する塵ゴミの掃き入れを容易にし、塵ゴミの掃き入れが行われない場合には後縁が上昇して前記段差が増して塵ゴミの零れ落ちを防ぐ
塵取り。
【請求項２】
前記傾倒式案内部は、前記掃き入れブレード部に繋がる板状の樹脂材により形成され、前記樹脂材の弾性を用いて傾倒する
請求項１に記載の塵取り。
【請求項３】
前記塵溜めの上方には、前記左右の側壁及び後側壁と繋がる天板が配置され、
前記受け口は、底板から天板に向けて鋭角の傾斜を有して開口する
請求項２に記載の塵取り。
【請求項４】
前記天板の外壁側には、名刺、日程表、メモ、写真、装飾用又は識別用等のカードを装着するカード装着部を備える
請求項３に記載の塵取り。
【請求項５】
前記後側壁の外壁は平面形状を有し、
前記底板と前記後側壁とは略直交し、
前記後側壁を下にして立設させることによりごみ箱として利用することが可能な
請求項３又は４に記載の塵取り。
【請求項６】
前記底板、前記後側壁又は前記側壁における外壁側に、壁掛用又は箒取付用のフック掛孔、吸盤取付穴、又は磁石取付穴を備える
請求項３乃至５のいずれかに記載の塵取り。
【請求項７】
前記受け口の正面視左右には、前記塵溜めから塵ゴミが零れ出ることを防ぐ袖壁を有し、
前記受け口の正面視上部には、前記塵溜めから塵ゴミが零れ出ることを防ぐ上壁を有し、
前記袖壁、前記上壁、前記掃き入れブレード部、及び前記傾倒式案内部は、一枚の受け口部材で形成される
請求項３乃至６のいずれかに記載の塵取り。
【請求項８】
前記受け口部材と前記天板との接続部に、前記受け口部材を開閉可能にするヒンジ部を備える
請求項７に記載の塵取り。
【請求項９】
前記受け口部材及び前記底板には、前記受け口部材を閉じた際に前記底板に対して固定することが可能な着脱構造を備える
請求項８に記載の塵取り。
【請求項１０】
前記底板、前記左右の側壁、前記天板、及び前記受け口部材は、一枚の素材を折目部において折り曲げて組み立てる構成である
請求項８又は９に記載の塵取り。
【請求項１１】
前記折目部及び前記ヒンジ部は、素材の肉厚を薄くした薄肉部で形成される
請求項８乃至１０のいずれかに記載の塵取り。
【請求項１２】
前記折目部の谷折り側の脇には、谷折りの角度を規定する凸条を有する
請求項１０又は１１に記載の塵取り。
【請求項１３】
前記底板における、掃き入れブレード部下面との接触部には、前記受け口部材を倣わせることにより、前記掃き入れブレード部から前記傾倒式案内部に至る部位の傾斜を形成する傾斜形成面を有する
請求項１０乃至１２のいずれかに記載の塵取り。
【発明の詳細な説明】
【技術分野】
【０００１】
本発明は、清掃用具に関するものであり、掃き掃除で使用する塵取り並びにごみ箱に関する。
【背景技術】
【０００２】
特許文献１（特開２０１１−１３９８７６号公報）に記載されている従来の塵取具は、塵溜まりの上部が開放されている塵取具である。この塵取具を用いて塵ゴミを掃き入れる動作を繰り返していると、一旦塵取りの塵溜りに収容された塵ゴミが、箒の動きに伴って発生する風圧の影響などにより、再び塵取具の外に出てしまうことがあった。特に、落葉や埃のように、舞い上がり易い塵ゴミは、一旦塵取具の塵溜りに収容されても、再び塵取具の外に出てしまう可能性が高かった。
【０００３】
特許文献２（特開平１０−２５００１号公報）には、塵取りに大きめな袋本体を嵌合させて塵ゴミの収集量を増やすことで、広範囲の掃き清掃を容易かつ効率的に行うことを可能にした発明が開示されている。特許文献２に記載されている塵取りの掃き入れ方向の断面は、塵ゴミの受け口から袋本体にかけて傾斜する楔状に形成されている。従って、受け口から掃き入れられた塵ゴミは、塵取りの楔状の斜面を登って袋本体に収容された時点で、楔状の斜面の後端から一段下に落ちるので、比較的小さな砂塵などは段差で塞き止められる。従って、このような小さな砂塵などが一旦袋本体に収容されると、再び外部に零れ出る可能性は低くなる。
【０００４】
また、特許文献２に記載されている塵取りの楔状の後端縁には、後方から袋本体を嵌合させるための溝、及びスリットが長手方向に沿って形成されている。このスリットは、袋本体の嵌合用のものであり、一旦袋本体に収容された小さな砂塵などを、塵取りの内部に留めておくために形成したものでは無いと考えられる。
【先行技術文献】
【特許文献】
【０００５】
【特許文献１】特開２０１１−１３９８７６号公報
【特許文献２】特開平１０−２５００１号公報
【発明の概要】
【発明が解決しようとする課題】
【０００６】
本発明の目的は、一旦塵取りに収容した塵ゴミや灰が、再び塵取りから零れ落ちてしまう不具合を減少させる塵取りを提供することである。
【課題を解決するための手段】
【０００７】
以下に、（発明を実施するための形態）で使用される番号を用いて、課題を解決するための手段を説明する。これらの番号は、（特許請求の範囲）の記載と（発明を実施するための形態）との対応関係を明らかにするために付加されたものである。ただし、それらの番号を、（特許請求の範囲）に記載されている発明の技術的範囲の解釈に用いてはならない。
【０００８】
本発明による塵取り（１０）は、底板（１２）、左右の側壁（１４）及び後側壁（１６）で囲まれる空隙、並びに塵ゴミ（５０）を掃き入れる受け口（１７）を有する塵溜め（２０）を備える。受け口（１７）の前縁には、箒（５２）等を用いて掃き集めた塵ゴミ（５０）を掬い上げる、掃き入れブレード部（３０）を備える。更に、被清掃面（５４）から掬い上げた塵ゴミ（５０）を塵溜め（２０）に案内すると共に、一旦塵溜め（２０）に収容した塵ゴミ（５０）の零れ落ちを防ぐ段差（３４）が後縁（３３）において形成される傾倒式案内部（３２）を備える。この傾倒式案内部（３２）は、塵ゴミ（５０）の掃き入れ動作に応じて後縁（３３）が下がることにより段差（３４）が減少して塵溜め（２０）に対する塵ゴミ（５０）の掃き入れを容易にする。また、塵ゴミ（５０）の掃き入れが行われない場合には後縁（３３）が上昇して、段差（３４）が増して塵ゴミ（５０）の零れ落ちを防ぐ。
【０００９】
前記傾倒式案内部（３２）は、掃き入れブレード部（３０）に繋がる板状の樹脂材により形成され、前記樹脂材の弾性を用いて傾倒する構造である。
【００１０】
前記塵溜め（２０）の上方には、左右の側壁（１４）及び後側壁（１６）と繋がる天板（１８）が配置され、前記受け口（１７）は、底板（１２）から天板（１８）に向けて鋭角の傾斜を有して開口する構造である。
【００１１】
前記天板（１８）の外壁側には、名刺や日程表、メモ、写真、装飾用又は識別用等のカード（６０）を装着するカード装着部（４０）を備える。
【００１２】
また、本発明による塵取り（１０）における後側壁（１６）の外壁は平面形状を有し、前記底板（１２）と前記後側壁（１６）とは略直交し、前記後側壁（１６）を下にして立設させることによりごみ箱として利用することが可能である。
【００１３】
前記底板（１２）、前記後側壁（１６）又は前記側壁（１４）における外壁側に、壁掛用又は箒（５２）保持用のフック掛孔（４３）、吸盤取付穴、又は磁石取付穴（４６）を備える。
【００１４】
前記受け口（１７）の正面視左右には、前記塵溜め（２０）から塵ゴミ（５０）が零れ出ることを防ぐ袖壁（２４）を有し、前記受け口（１７）の正面視上部には、前記塵溜め（２０）から塵ゴミ（５０）が零れ出ることを防ぐ上壁（２８）を有し、前記袖壁（２４）、前記上壁（２８）、前記掃き入れブレード部（３０）、及び前記傾倒式案内部（３２）は、一枚の受け口部材（２７）で形成される。
【００１５】
前記受け口部材（２７）と前記天板（１８）との接続部には、前記受け口部材（２７）を開閉可能にするヒンジ部（３６）を備える。
【００１６】
前記受け口部材（２７）及び前記底板（１２）には、前記受け口部材（２７）を閉じた際に前記底板（１２）に対して固定することが可能な着脱構造（３８Ｆ）を備える。
【００１７】
前記底板（１２）、前記左右の側壁（１４）、前記天板（１８）、及び前記受け口部材（２７）は、一枚の素材を折目部（３７）において折り曲げて組み立てる構成である。
【００１８】
前記折目部（３７）及び前記ヒンジ部（３６）は、素材の肉厚を薄くした薄肉部で形成される。
【００１９】
前記折目部（３７）の谷折り側の脇には、谷折りの角度を規定する凸条（３５）を有する。
【００２０】
前記底板（１２）における、掃き入れブレード部（３０）の下面との接触部には、前記受け口部材（２７）を倣わせることにより、前記掃き入れブレード部（３０）から前記傾倒式案内部（３２）に至る部位の傾斜を形成する傾斜形成面（２２）を有する。
【発明の効果】
【００２１】
本発明の塵取りは、塵ゴミを掬い上げる掃き入れブレード部と塵溜めとの間の部位に、塵ゴミの掃き入れ動作に応じて傾倒する傾倒式案内部を配置することにより、塵ゴミの掃き入れが行われない場合には傾倒式案内部の後縁と塵溜めとの間の段差を増大させて、一旦塵取りに収容した塵ゴミが、再び塵取りから零れ落ちてしまう不具合を減少させることができる。
【図面の簡単な説明】
【００２２】
【図１】図１は、本発明の塵取りの外観斜視図である。
【図２】図２は、図１に示した塵取りの底板及び後側壁に垂直な面で切断した側面断面図である。
【図３】図３は、塵溜め内に収容した塵ゴミを、投棄する方法を説明する図である。
【図４】図４は、塵取りを立設させてごみ箱として使用する状態を説明する図である。
【図５】図５は、本発明の塵取りの展開状態を説明する斜視図である。
【図６】図６は、折目の構造例について説明する図であり、図５に示したＡ−Ａ矢視断面図である。
【図７】図７は、図６に示した折目を境にして側壁を折り曲げた状態を示す断面図である。
【発明を実施するための形態】
【００２３】
添付図面を参照して、本発明による塵取りを実施するための形態を、以下に説明する。
【００２４】
（塵取り１０の構成の説明）
図１を参照して、本発明の塵取り１０は、床や机上などの被清掃面５４に散らばっている塵ゴミ５０（消しゴムのかす、パン屑、埃、灰など）を、箒５２を用いて塵溜め２０に掃き入れて清掃を行うための清掃用具である。図１に示す塵取り１０は、塵ゴミ５０を掃き入れるための受け口１７と、底板１２、左右の側壁１４、後側壁１６、及び天板１８で囲まれる塵溜め２０の空間とを有している。
【００２５】
塵取り１０の受け口部材２７は、袖壁２４、上壁２８、櫛状部２９、掃き入れブレード部３０、切欠き３１、傾倒式案内部３２、及び後縁３３とを有している。図１に示す実施形態では、受け口部材２７の上壁２８と天板１８との接続部には、受け口部材２７を開閉可能にするヒンジ部３６を備えている。掃き入れブレード部３０の先端下部は、被清掃面５４と接触する部位であり、受け口１７の前縁に配置される。掃き入れブレード部３０は、箒５２等を用いて掃き集めた被清掃面５４の塵ゴミ５０を掬い上げる部位である。
【００２６】
受け口１７の正面視左右の袖壁２４、及び上方の上壁２８は、一旦塵溜め２０に収容した塵ゴミ５０が逆流して塵取り１０の外に零れ出ることを防ぐための仕切である。風が吹いている中で掃き掃除を行っている場合であっても、一旦塵溜め２０に収容した塵ゴミ５０が風によって塵溜め２０から出て、周囲に飛散する不具合を減少させることができる。また、後段で説明するように、塵取り１０の後側壁１６を下にして立設させて、ごみ箱として使用した際に、立設させたごみ箱が転倒したような場合であっても、塵溜め２０に収容されている塵ゴミ５０が塵溜め２０から零れ出ることを防止することができる。上壁２８において受け口１７側に延出させた複数の櫛状部２９は、箒５２の刷毛部をしごく部位であり、箒５２の刷毛部に付着した塵や埃を取り除くことができる。
【００２７】
受け口１７の正面視下方に配置されている傾倒式案内部３２は、掃き入れブレード部３０において被清掃面５４から掬い上げた塵ゴミ５０を、塵溜め２０に案内する部位である。本発明では、一旦塵溜め２０に収容した塵ゴミ５０が再び外部に零れ出ることを防ぐために、傾倒式案内部３２の後縁３３と塵溜め２０の底板１２との間に段差３４（後段にて説明する図２参照。）が形成される構造を有している。傾倒式案内部３２の傾倒動作については、後段にて図２を用いて説明する。
【００２８】
底板１２は、塵溜め２０の下部を形成する部位である。底板１２の前縁１３付近の上面及び受け口部材２７には着脱構造３８Ｆが形成されている。底板１２の中央部付近には磁石取付穴４６が形成されている。
【００２９】
底板１２及び受け口部材２７に形成されている着脱構造３８Ｆは、開閉可能な受け口部材２７を底板１２に固定する部位である。塵取り１０を用いて掃き掃除を行う場合には、図１に示すように、底板１２の前縁１３付近の上面と受け口部材２７の下面とを、着脱構造３８Ｆを用いて固定して使用する。一方、着脱構造３８Ｆによる固定を解除した場合には、後段にて図３を用いて説明するように、ヒンジ部３６を支点にして受け口部材２７を開けて、塵溜め２０に収容されていた塵ゴミ５０を容易に取り出すことができる。また、後側壁１６を取り外しても、塵溜め２０に収容されている塵ゴミ５０を取り出すことができる。
【００３０】
底板１２の磁石取付穴４６は、底板１２の外壁側に開口を有する穴であり、偏平丸形の壁着脱用にキャップ型のヨークと永久磁石とを組み合わせたキャップマグネット６６を埋め込む穴である（後段にて説明する図２参照。）。磁石取付穴４６にキャップマグネット６６を埋め込んでおくことにより、当該塵取り１０をごみ箱として用いる場合などにおいて、マグネットボードや冷蔵庫等の磁性を備える壁に、塵取り１０を固定しておくことができる。当該塵取り１０の幅×長さ×高さの大きさを、１５０×１５０×４０（ｍｍ）程で構成した場合には、一般に市販されている直径２５（ｍｍ）のキャップマグネット６６を用いて壁に固定することができる。
【００３１】
左右の側壁１４は、底板１２から立設し、塵溜め２０の両側を仕切る壁である。左右の側壁１４の受け口１７側には、底板１２の前縁１３から天板１８のヒンジ部３６に向けて袖壁ガイド１５を突出させてある。袖壁ガイド１５は、受け口部材２７に所定の鋭角の傾斜を形成するための部位である。また、後段にて図５を用いて説明するように、側壁１４の外壁側に、壁掛用のフック掛孔４３、又は吸盤取付穴を設けることもできる。また、側壁１４に磁石取付穴４６を設けることもできる。
【００３２】
後側壁１６は、塵溜め２０の後ろ側を仕切る壁である。図１に示す実施形態では、枡形に成形された後側壁１６を、底板１２、側壁１４及び天板１８の後端開口部に被せて、底板１２及び天板１８に形成した着脱構造３８Ｒを用いて固定する構造を採用している。なお、このように後側壁１６と底板１２とを別構造とせずに、一体構造にすることもできる。
【００３３】
図１に示す実施形態では、後側壁１６の外壁は平面形状を有しており、底板１２と後側壁１６とは略直交する形状に構成してある。このように構成することによって、塵取り１０の後側壁１６を下にして、塵取り１０を床や机上に立設させることができる。そして、塵取り１０をごみ箱としても利用することができる（後段にて説明する図５参照。）。
【００３４】
天板１８は、塵溜め２０の上方を覆う部材であり、左右の側壁１４及び後側壁１６と繋がる部材である。図１に示す実施形態では、天板１８の外壁側のカード装着部４０には、透明カバー４１を着脱することが可能である。カード装着部４０は、名刺や日程表、メモ、写真、装飾用又は識別用等のカード６０を装着する部位である。透明カバー４１は、カード６０を天板１８の表面に固定しておくためのカバーである（後段にて説明する図２参照。）。透明カバー４１は例えば塩化ビニール製の薄板であり、天板１８から突出させた着脱構造３９と嵌合させるための嵌合孔を開設してある。
【００３５】
天板１８や左右の側壁１４、底板１２等の塵取り１０の表面には、装飾を施すことができる。例えば図１に示す実施形態においては、カード６０の装着とは別に、天板１８に突出させた２つの丸形の着脱構造３９が目を表し、１つの長円形の着脱構造３９が口を表した装飾が施されている。図５に示すように、塵取り１０を机上に立設させておくと、ふと目が塵取り１０に向いた際に塵取り１０の天板１８に人の顔が浮かび、仕事中や勉強中において気持ちが和らぐものである。そして、身近に塵取り１０を置いておくことで自然に清掃の頻度も増えることから、快適で衛生的な職場環境や家庭環境の創出に貢献することができる。なお、塵取り１０の表面に施す装飾として、著名なキャラクターデザインや、所謂、ゆるキャラのデザインを用いることもできる。
【００３６】
更に、図１に示す塵取り１０の天板１８の外壁部には、好みのカード６０を視認可能に装着することができるので、塵取り１０を清掃用具として利用しない時にも、机上のマスコットとして利用することができる。
【００３７】
（傾倒式案内部３２の傾倒動作に関する説明）
次に図２の断面図を参照して、塵取り１０の構成及び傾倒式案内部３２の傾倒動作について説明する。図２は、図１に示した塵取り１０の底板１２及び後側壁１６に垂直な面で切断した塵取り１０の側面断面図である。なお、図１に示した構成と同一の構成については、同一の符号を付してその説明を省略する。
【００３８】
図２の断面図に示すように、傾倒式案内部３２は、掃き入れブレード部３０に繋がる板状の樹脂材により形成されている。例えば傾倒式案内部３２の素材として、ＰＰ（ポリプロピレン）、ＰＥ（ポリエチレン）等の弾性を有する樹脂材を用いることができ、厚さを０．３〜１．５ｍｍ程度とすることにより、箒５２を用いた掃き入れ動作に応じて傾倒する構造にすることができる。なお、より好ましくは、樹脂材の厚さは０．５乃至０．７ｍｍ程度が好ましい。また、図１に示すように、掃き入れ動作に応じた傾倒を容易にするために、傾倒式案内部３２の左右両側の袖壁２４との間には、切欠き３１を開設してある。
【００３９】
例えば図２に示すように、箒５２を用いて塵ゴミ５０を塵溜め２０内に掃き入れる際には、箒５２が接触する力により傾倒式案内部３２の後縁３３は（ＤＮ）の位置まで下がって、段差３４が減少する。そして、塵溜め２０に対する塵ゴミ５０の掃き入れを、容易にすることができる。また、塵ゴミ５０の掃き入れが行われない場合には、傾倒式案内部３２の弾性により後縁３３が（ＵＰ）の位置まで上昇して、段差３４が増す。すると、一旦塵溜め２０に収容した塵ゴミ５０が受け口１７から零れ出ることを防ぐことができる。なお、傾倒式案内部３２の傾倒動作を、板状の樹脂材による弾性を用いて行う他にも、蝶番構造とヘヤピンバネ等を用いて傾倒させる構造を用いることもできる。
【００４０】
なお、図２に示すように、底板１２の前縁１３付近には、傾斜形成面２２と凸陵２３とを形成してある。傾斜形成面２２は、弾性を備える薄板で形成された掃き入れブレード部３０から傾倒式案内部３２に至る部位において、傾斜を形成する。凸陵２３は、一旦塵溜め２０に収容した塵ゴミ５０の零れ落ちを防ぐ段差を形成する部位である。
【００４１】
図２に示すように、底板１２の磁石取付穴４６には、キャップマグネット６６が埋め込まれている。これにより、塵取り１０をマグネットボードや磁性を備える壁、冷蔵庫等に対して固定することができる。また、天板１８の外壁側には、カード６０を装着するための透明カバー４１が取り付けられている。
【００４２】
図２に示すように、枡形の後側壁１６は、底板１２、側壁１４及び天板１８の後端開口部に被せて、底板１２及び天板１８に形成した凹状の着脱構造３８Ｒを用いて固定されている。また、後側壁１６の平面形状の底部は、枡形の形状を維持するために、段付形状１６Ｄとしてある。図２に示す実施形態では、着脱構造３８Ｒは、塵溜め２０内に向けて凸形状の構造を用いているが、本発明はこの実施形態に限定するものではなく、底板１２及び天板１８の外部方向に向けた凸形状の着脱構造３８を用いることもできる。
【００４３】
（塵溜め２０内に収容した塵ゴミ５０の投棄についての説明）
次に図３を用いて、塵溜め２０内に収容した塵ゴミ５０を投棄する方法について説明する。塵溜め２０内に収容した塵ゴミ５０を投棄する際には、先ず受け口部材２７の掃き入れブレード部３０と、底板１２の前縁１３とを固定している着脱構造３８Ｆの係合を解除する。そして、ヒンジ部３６を支点として受け口部材２７を開けて、塵溜め２０の受け口１７側を開放する。そして、底板１２の前縁１３を下にして塵取り１０を傾けて、塵溜め２０に収容されていた塵ゴミ５０を取り出す。
【００４４】
（塵取り１０をごみ箱として使用する場合の説明）
図４を用いて、塵取り１０を立設させて、ごみ箱として使用する場合について説明する。図４に示すように、塵取り１０の後側壁１６を下にして立設させることによって、机上、車中、台所、製造現場、職場等においてゴミ箱として使用することができる。
【００４５】
また、図４に示す実施形態では、側壁１４の外側に止め代部２５を折り曲げて重ねた状態で組み立ててある。止め代部２５と側壁１４とは、着脱構造３８Ｓを用いて固定してある。止め代部２５の中央部にはフック掛孔４３が開設されている。フック掛孔４３に吸盤６４やフック６２の取付部を挿入することで、塵取り１０を壁に掛けることが可能となっている。なお、フック掛孔４３の下側の側壁１４には、吸盤６４やフック６２の突出した取付部を収容する収容穴４２が形成されている。また、フック掛孔４３等を用いて、箒５２を取り付けることもできる。
【００４６】
（塵取り１０の展開状態についての説明）
次に図５を用いて、塵取り１０の展開状態について説明する。図５に示すように、本発明の塵取り１０の底板１２、側壁１４、天板１８、及び受け口部材２７は、一枚の薄板から構成することができる。このように、塵取り１０を一枚の薄板から形成することによって、販売時における嵩を減少させて売り場における占有面積を減少させることができる。また、塵取り１０を使用し続けて汚れた場合に、再び分解して一枚の薄板に戻すことによって、洗浄を容易にすることができる。
【００４７】
図５に示す塵取り１０の展開状態は、完成後に塵取り１０の内部となる部分が上面として表されている。図５に示す展開状態から塵取り１０を組み立てる際には、折目部３７を境にして、底板１２に対して側壁１４を上方に直角に折り曲げる。次に、折目部３７を境にして、側壁１４に対して天板１８を直角に折り曲げる。次に、折目部３７を境にして、天板１８に対して止め代部２５を直角に折り曲げて、止め代部２５と側壁１４とを重ね合わせる。次に、側壁１４の着脱構造３８Ｓに、止め代部２５の着脱構造３８Ｓを挿入して固定する。
【００４８】
次に、枡形の後側壁１６を、底板１２、側壁１４及び天板１８の後端開口部に被せて、底板１２及び天板１８に形成されている凹状の着脱構造３８Ｒに、後側壁１６の凸状の着脱構造３８Ｒを係合させて固定する。次に、開閉可能な受け口部材２７と底板１２とを、着脱構造３８Ｆ同士を係合させて固定する。更に、必要に応じて天板１８の外壁側のカード装着部４０（図１、図２参照）に透明カバー４１を装着する。このようにして、塵取り１０を組み立てることができる。
【００４９】
（折目部３７の構造に関する説明）
次に、図６及び図７を用いて折目部３７の構造例について説明する。図６は、図５に示したＡ−Ａ矢視断面図である。図７は、図６に示した折目部３７を境にして、側壁１４を折り曲げた状態を示す断面図である。図６及び図７に示すように、折目部３７の谷折り側の脇、及び素材の端部には、谷折りの角度を規定するための、断面が三角形の凸条３５を形成してある。この凸条３５の折目部３７側、及び端部側の傾斜角度は４５度である。図７に示すように折目部３７を境にして、底板１２に対して側壁１４を上方に折り曲げた際には、底板１２と側壁１４とのなす角が直角になるように構成してある。折目部３７の谷折り側の脇、及び素材の端部に凸条３５を形成しておくことによって、組み立て時の形状を確定すると共に、完成後における塵取り１０の変形を予防することができる。また、図６に示すように、折目部３７の断面には、成形又はビク抜き時のハーフカットを用いて、薄肉部を形成しておくことが好ましい。
【００５０】
上記の説明では、塵取り１０の底板１２、側壁１４、天板１８、及び受け口部材２７を一枚の薄板から構成する実施形態について説明したが、後側壁１６も併せて一体に形成することもできる。薄板の素材も、樹脂に限定するものではなく、紙、金属板等を用いることができる。また、塵取り１０は、樹脂の薄板を素材とした真空成形等により好適に生産することができるが、本発明は薄板から構成するものに限定されない。例えば、塵取り１０を、樹脂の射出成形によって製造することもできる。
【００５１】
（着脱構造の種類について）
上記の実施形態においては、着脱構造３８Ｆ、着脱構造３８Ｒ、着脱構造３８Ｓ、着脱構造３９として、凹部に凸部を挿入して係合させる実施形態について説明したが、この他にも、面ファスナーや両面テープ、ステープラー、接着剤、溶着、その他の固定方法を用いることができる。
【００５２】
以上、実施の形態を参照して本発明による塵取りを説明したが、本発明による塵取りは上記実施形態に限定されない。上記実施形態に様々の変更を行うことが可能である。上記実施形態に記載された事項と上記他の実施形態に記載された事項とを組み合わせることが可能である。
【産業上の利用可能性】
【００５３】
本発明の塵取りは、本来の塵取りやごみ箱としての用途の他にも、メモ入れ、はがき入れ、その他の小物入れとしても、用いることができる。
【符号の説明】
【００５４】
１０...塵取り
１２...底板
１３...前縁
１４...側壁
１５...袖壁ガイド
１６...後側壁
１６Ｄ...段付形状
１７...受け口
１８...天板
２０...塵溜め
２２...傾斜形成面
２２...凸陵
２４...袖壁
２５...止め代部
２７...受け口部材
２８...上壁
２９...櫛状部
３０...掃き入れブレード部
３１...切欠き
３２...傾倒式案内部
３３...後縁
３４...段差
３５...凸条
３６...ヒンジ部
３７...折目部
３８Ｆ、３８Ｒ、３８Ｓ、３９...着脱構造
４０...カード装着部
４１...透明カバー
４２...収容穴
４３...フック掛孔
４６...磁石取付穴
５０...塵ゴミ
５２...箒
５４...被清掃面
６０...カード
６２...フック
６４...吸盤
６６...キャップマグネット
【図１】
2015051043.tif 000003
【図２】
2015051043.tif 000004
【図３】
2015051043.tif 000005
【図４】
2015051043.tif 000006
【図５】
2015051043.tif 000007
【図６】
2015051043.tif 000008
【図７】
2015051043.tif 000009